(57)【要約】【解決手段】  丸編み機であって、この丸編み機がニードルシリンダ１１とダイヤル１２を有し、前記ニードルシリンダ１１の内において、シリンダニードル１３が長手方向に位置移動可能な支承されており、前記ダイヤル１２の内において、ダイヤルニードル１４が半径方向に位置移動可能に支承されている様式の上記丸編み機であって、その際、前記シリンダニードル１３に所属して設けられた補助エレメント１５、特に、シンカ、および、前記ダイヤルニードル１４に所属して設けられた補助エレメント１６特に、シンカ、並びに、前記シリンダニードル１３、および、前記ダイヤルニードル１４への、別個の糸供給部、が設けられており、その際、前記シリンダニードル１３と、前記ダイヤルニードル１４とでもって、同時に、または、順々に、別個の丸編み地１９、２０が製造可能である。
2018503000.tif 000002
【特許請求の範囲】
【請求項１】
丸編み機であって、この丸編み機がニードルシリンダ（１１）とダイヤル（１２）を有し、
前記ニードルシリンダ（１１）の内において、シリンダニードル（１３）が長手方向に位置移動可能な支承されており、
前記ダイヤル（１２）の内において、ダイヤルニードル（１４）が半径方向に位置移動可能に支承されている様式の上記丸編み機において、
前記シリンダニードル（１３）に所属して設けられた補助エレメント（１５）、特に、シンカ、および、
前記ダイヤルニードル（１４）に所属して設けられた補助エレメント（１６）、特に、シンカ、並びに、
前記シリンダニードル（１３）、および、前記ダイヤルニードル（１４）への、別個の糸供給部、が設けられていること、および、
前記シリンダニードル（１３）と、前記ダイヤルニードル（１４）とでもって、同時に、または、順々に、別個の丸編み地（１９、２０）が製造可能であることを特徴とする丸編み機。
【請求項２】
前記シリンダニードル（１３）と、前記ダイヤルニードル（１４）とでもって、
それぞれに、同一の、または、異なる、前記丸編み地（１９、２０）、特に、異なる繊度の編み地（１９、２０）が製造可能であることを特徴とする請求項１に記載の丸編み機。
【請求項３】
前記シリンダニードル（１３）、および、前記ダイヤルニードル（１４）によって製造された前記丸編み地（１９、２０）は、共に１つの引出し装置から、または、別個の引出し装置から引き出し可能であることを特徴とする請求項１または２に記載の丸編み機。
【請求項４】
１つの引出し装置が設けられており、この引出し装置が、１つのスプレッダ、および、両側で、１つずつの切断装置を備えていることを特徴とする請求項３に記載の丸編み機。
【請求項５】
１つの引出し装置が設けられており、この引出し装置が、一方の側で、１つの切断装置を有する１つの開反装置を有していることを特徴とする請求項３に記載の丸編み機。
【請求項６】
１つの開反装置を有する１つの引出し装置と、開反装置の無い１つの引出し装置とが設けられていることを特徴とする請求項３に記載の丸編み機。
【請求項７】
前記生産された丸編み地（１９、２０）のための、１つ、２つ、または、４つのヤールたたみ機が設けられていることを特徴とする請求項３に記載の丸編み機。
【請求項８】
編み目形成における、前記シリンダニードル（１３）の前進移動の際に、所属する、シンカとして形成された前記補助エレメント（１５）が、後退移動を行うこと、および、
編み目形成における、前記シリンダニードル（１３）の引戻し移動の際に、所属する前記補助エレメント（１５）が、前進移動を行うことを特徴とする請求項１から７のいずれか一つに記載の丸編み機。
【請求項９】
編み目形成における、前記ダイヤルニードル（１４）の前進移動の際に、所属する、シンカとして形成された前記補助エレメント（１６）が、後退移動を行うこと、および、
編み目形成における、前記ダイヤルニードル（１４）の後退移動の際に、所属する前記補助エレメント（１６）が、前進移動を行うことを特徴とする請求項１から８のいずれか一つに記載の丸編み機。
【請求項１０】
シリンダカムセグメント（３０）が設けられており、このシリンダカムセグメントが、
前記シリンダニードル（１３）の前進移動および引戻し移動の制御のためのニードルカム（３２）と、シンカカム（３６、３７、３８）とを有し、これらシンカカムでもって前記シリンダニードル（１３）のための前記補助エレメント（１５）が垂直方向に移動させ得る及び／または水平方向の軸線を中心として旋回運動させ得ることを特徴とする請求項１から９のいずれか一つに記載の丸編み機。
【請求項１１】
ダイヤルカムセグメント（４０）が設けられており、このダイヤルカムセグメントが、
前記ダイヤルニードル（１４）の前進移動および後退移動の制御のためのニードルカムと、シンカカム（４１、４２、４３）とを有し、これらシンカカムでもって前記ダイヤルニードル（１４）のための前記補助エレメント（１６）が半径方向に移動させ得る及び／または水平方向の軸線を中心として旋回運動させ得ることを特徴とする請求項１から１０のいずれか一つに記載の丸編み機。
【請求項１２】
前記補助エレメント（１５、１６）は、それぞれに、前記ニードルシリンダ（１１）内において、および、前記ダイヤル（１２）内において、または、別個の装置内において支承されていることを特徴とする請求項１から１１のいずれか一つに記載の丸編み機。
【請求項１３】
前記補助エレメントは、固定状態のノックオーバ部片であることを特徴とする請求項１から７のいずれか一つに記載の丸編み機。
【請求項１４】
前記シリンダニードル（１３）、及び／または、ダイヤルニードル（１４）は、
ベアードニードルとして、および、所属する補助エレメントが、ベアードクロージングエレメントとして形成されていることを特徴とする請求項１から１３のいずれか一つに記載の丸編み機。
【請求項１５】
前記ダイヤル（１２）は、高さ調節可能であり、且つ、
前記補助エレメント（１５、１６）、および、前記ダイヤルニードル（１４）への糸供給部、または、前記シリンダニードル（１３）への糸供給部が、無機能にされ得、
従って、このシリンダニードル（１３）と、このダイヤルニードル（１４）とでもって、共に、ファインリブ丸編み地（２１）が製造可能であることを特徴とする請求項１から１４のいずれか一つに記載の丸編み機。
【発明の詳細な説明】
【技術分野】
【０００１】
最新式の丸編み機は、現今、ＳＦ＝１５００に至るまでの速度ファクター（＝直径×回転数）に到達している。この速度ファクターの更なる増大に、しかしながら、高いニードル磨耗の理由で、制約を加えられている。既に、現今の速度ファクターは、比較的に可動的なシンカ（Ｐｌａｔｉｎｅｎ）の、および、ニードルバッドのための、可能な限り平坦な、丸味を帯びさせられたカム曲線の使用による、ただニードルの移動道程の制限だけで達成可能である。更に別の最適化は、適当なニードル幾何学的形状によって、および、新しいニードル材料の開発によって達成可能である。それにも拘らず、ＳＦ＝２０００以上の速度ファクターの達成は、極めてありそうにない。
【先行技術文献】
【特許文献】
【０００２】
【特許文献１】英国特許出願公開第１８８４４９  Ａ１号明細書
【特許文献２】英国特許出願公開第１１４１４４  Ａ１号明細書
【発明の概要】
【発明が解決しようとする課題】
【０００３】
本発明の根底をなす課題は、公知の丸編み機の生産性を、構造的に簡単な構成でもって、更に向上することである。
【課題を解決するための手段】
【０００４】
この課題は、丸編み機であって、この丸編み機がニードルシリンダとダイヤルを有し、
前記ニードルシリンダの内において、シリンダニードルが長手方向に位置移動可能な支承されており、
前記ダイヤルの内において、ダイヤルニードルが半径方向に位置移動可能に支承されている様式の上記丸編み機において、
前記シリンダニードルに所属して設けられた補助エレメント、特に、シンカ、および、
前記ダイヤルニードルに所属して設けられた補助エレメント特に、シンカ、並びに、
前記シリンダニードル、および、前記ダイヤルニードルへの、別個の糸供給部、が設けられていること、および、
前記シリンダニードルと、前記ダイヤルニードルとでもって、同時に、または、順々に、別個の丸編み地が製造可能であることを特徴とする丸編み機によって解決される。
【発明の効果】
【０００５】
本発明に従う丸編み機でもって、同時に、シリンダの上で、および、ダイヤルの上で、丸編み地が製造され得、このことによって、生産性は、従来の編み機と比較して、２倍になる。本発明に従う編み機は、速度ファクター  ＳＦ＝３０００を有する従来の機械に相応する。
両方の丸編み地は、その際、同一に、または、異なって、例えば、異なる色において、編まれ得る。糸供給部は、複数のアイレットを有する１つの共通の糸ガイドによって、または、複数の別個の糸ガイドによって形成され得る。
【０００６】
本発明に従う丸編み機でもって、両方の丸編み地を、シリンダの上で、および、ダイヤルの上で、順々に製造することは、しかしながら、同様に可能である。
【０００７】
このことは、特に、シリンダニードルと、ダイヤルニードルとでもって、異なる編み地、特に、異なる繊度の編み地が製造可能であるべきである場合に、有利である。
同様に、両方の丸編み地を順々に編む場合でも、従来の機械に対する生産性の利点が与えられる。何故ならば、丸編み地の両方の品質は、この機械のその間の装置変え無しに、順々に、且つ、適宜の交番において、編まれ得るからである。
【０００８】
それに加えて、ニードルシリンダよりも小さな直径を有するダイヤルを使用することは可能であり、従って、機械の上で、異なる直径の２つの編み地が製造され得る。
【０００９】
もちろん、本発明に従う丸編み機が、同様に、ただシリンダの上だけで１つの丸編み地を製造する、従来の機械としても、作動可能である。同様に、専らダイヤルの上での１つの編み地の製造も、可能である。
【００１０】
生産された製品帯状体の引き出しは、種々の方法で実現可能である。
【００１１】
従って、シリンダニードル、および、ダイヤルニードルによって形成（製造）された丸編み地は、共に１つの引出し装置から、または、別個の引出し装置から引き出し可能であり得る。
【００１２】
同時に、ニードルシリンダ、および、ダイヤルで生産された編組物帯状体は、互いの中に位置している。このために、共通の１つの引出し装置が設けられており、この引出し装置が、１つのスプレッダ（Ｂｒｅｉｔｈａｌｔｅｒ）、および、両側で、１つずつの切断装置を備えていることは可能である。
これら生産された編み地は、次いで、平らに置かれた状態の４つの帯状体として、共に、ダブルワインダーに巻き取られ得る。
【００１３】
選択的に、１つの共通の引出し装置が設けられており、この引出し装置が、一方の側で、１つの切断装置、および、１つの開反装置（Ｅｎｔｄｏｕｂｌｉｅｒｅｉｎｒｉｃｈｔｕｎｇ）を有していることは可能である。
両方の、互いの中に位置する丸編み地は、一方の側で、切り開かれ、且つ、広げられる。引き続いて、これら丸編み地は、幅広の、平らに置かれた状態の、２つの製品帯状体として、引出し巻取りローラによって巻き取られ得る。
【００１４】
丸編み機は、しかしながら、同様に、１つの開反装置を有する１つの引出し装置と、開反装置の無い１つの引出し装置とを有していることも可能である。
従って、一方の丸編み地を、直接的に巻き取ること、および、他方の丸編み地を、切り開くこと、広げること、および、平らに置かれた状態の製品帯状体として巻き取ることは可能である。
【００１５】
丸編み機の更に別の構成において、それに対して、生産された丸編み地のための、１つ、または、２つのヤールたたみ機（Ｌｅｇｅｅｉｎｒｉｃｈｔｕｎｇｅｎ）が設けられている。
４つの織物帯状体が、丸編み地の両側の切り開きにより生産される場合、同様に、４つのヤールたたみ機も設けられ得る。
【００１６】
ニードルシリンダ、および、ダイヤルにおける編み目形成プロセスのために、全ての、丸編み機において公知の技術は、使用され得る。
【００１７】
本発明に従う丸編み機の有利な実施形態において、編み目形成における、シリンダニードルの前進移動（Ａｕｓｔｒｉｅｂｓｂｅｗｅｇｕｎｇ）の際に、所属する、シンカとして形成された補助エレメントが、後退移動（Ｒｕｅｃｋｚｕｇｓｂｅｗｅｇｕｎｇ）を行い、且つ、編み目形成における、シリンダニードルの引戻し移動（Ａｂｚｕｇｓｂｅｗｅｇｕｎｇ）の際に、前進移動を行う。
ニードルと補助エレメントとの間の、この相対的な移動によって、極めて高い編み速度が達成され得る、何故ならば、これらニードルは、機械と比較して、固定状態の、または、これらニードルと共に同じ方向において帯同するシンカでもって、ただ、ほぼ半分の往復移動だけを行わなければならないからである。
【００１８】
この技術は、原則的に、同様にダイヤルにおいても使用可能である。
従って、編み目形成における、ダイヤルニードルの前進移動の際に、所属する、シンカとして形成された補助エレメントが、後退移動を行い、且つ、編み目形成における、ダイヤルニードルの後退移動の際に、所属する前記補助エレメントが、前進移動を行う。
【００１９】
ニードルと補助エレメントとの間の、この相対的な移動を、ニードルシリンダ、および、ダイヤルに設けることは、言うまでも無く、特に有利である。この機械は、その場合に、最大の回転数でもって作動され得る。
【００２０】
補助エレメントが、有利には、シンカとして形成されるのに対して、ニードルとして、ラッチニードル、コンパウンドニードル、または、ベアードニードルが使用され得る。
【００２１】
更なる利点は、シリンダカムセグメントが設けられており、このシリンダカムセグメントが、シリンダニードルの前進移動および引戻し移動の制御のためのニードルカムと、シンカカムとを有し、これらシンカカムでもってシリンダニードルのための補助エレメントが垂直方向に移動させ得る及び／または水平方向の軸線を中心として旋回運動させ得る場合に、達成され得る。
これら補助エレメントは、このことによって、ノックオーバ−およびホールドダウンシンカ（Ｅｉｎｓｃｈｌｉｅｓｓ−  ｕｎｄ  Ｎｉｅｄｅｒｈａｌｔｅｐｌａｔｉｎｅｎ）として作用し、且つ、しかもそのうえ、確実な編み目形成のために作用する。
【００２２】
類似の方法において、ダイヤルカムセグメントが設けられており、このダイヤルカムセグメントが、ダイヤルニードルの前進移動および後退移動の制御のためのニードルカムと、シンカカムとを有し、これらシンカカムでもってダイヤルニードルのための補助エレメントが半径方向に移動させ得る及び／または水平方向の軸線を中心として旋回運動させ得る。
このダイヤルカムセグメントの構成が、少なくとも、ダイヤルニードルの必要な半径方向の移動であるという理由で、明確に、シリンダカムセグメントの構成よりも、より要件を十分に満たす。このことは、ダイヤルの直径が小さくなればなるほど、それだけいっそう多く言えることである。
【００２３】
有利には、同様に、補助エレメントは、それぞれに、ニードルシリンダ内において、および、ダイヤル内において支承されている。
これら補助エレメントは、従って、ニードルと共に、相応するシリンダカムセグメント、及び／または、ダイヤルカムセグメントによって制御され得る。これら補助エレメントは、しかしながら、同様に、シンカリングのような、別個の装置内において支承されていることは可能である。
このダイヤルカムセグメントによる、ダイヤル内における、補助エレメントの移動の制御は、
その際、特別の挑戦である。これら補助エレメントは、半径方向に移動、および、旋回されねばならない。
【００２４】
この機械の選択的な構成において、前記補助エレメントは、同様に固定状態のノックオーバ部片（Ａｂｓｃｈｌａｇｓｓｔｅｇｅ）である。この補助エレメントの移動のための、カム部材、または、他の駆動装置を、この構成の場合、設けなくて良い。
【００２５】
更に、シリンダニードル、及び／または、ダイヤルニードルが、ベアードニードルとして、および、所属する補助エレメントが、ベアードクロージングエレメントとして形成されていることは可能である。
相応して形成されたシリンダニードルを有する丸編み機は、特許文献１および、特許文献２から公知である。
【００２６】
丸編み機の更に有利な構成において、ダイヤルが、高さ調節可能であり、且つ、補助エレメント、および、ダイヤルニードルへの糸供給部、または、シリンダニードルへの糸供給部が、無機能にされ得ることは可能であり、従って、このシリンダニードルと、このダイヤルニードルとでもって、共に、ファインリブ丸編み地（Ｒｅｃｈｔｓ／Ｒｅｃｈｔｓ−Ｓｃｈｌａｕｃｈｇｅｓｔｒｉｃｋ）が製造可能である。
【００２７】
この機械のこの様式の構成において、２重にされたシングルフェイス丸編み地（Ｅｉｎｆａｃｈ−Ｓｃｈｌａｕｃｈｇｅｓｔｒｉｃｋｅ）、または、ファインリブ丸編み地のような、ダブルフェイス編み地（ｄｏｐｐｅｌｆｌａｅｃｈｉｇｅ  Ｇｅｓｔｒｉｃｋｅ）でもって、製造され得る。異なる作動様式への、この機械の切換えは、その際、大きな手間暇無しに可能である。顧客は、従って、高い生産性を有するシングルフェイス製品の製造、または、ダブルフェイス製品の間の選択を有する。
【００２８】
以下で、本発明に従う丸編み機の可能な１つの実施例を、図を参照して詳しく説明する。
【図面の簡単な説明】
【００２９】
【図１】本発明に従う丸編み機のニードルシリンダとダイヤルの、概略的な部分図である。
【図２】降下されたダイヤルの状態の丸編み機１０の、図１に相応する図である。
【図３】図１における、丸編み機のシリンダカム部材の詳細図である。
【図４】図１における、丸編み機のダイヤルカム部材の詳細図である。
【発明を実施するための形態】
【００３０】
図１内における、丸編み機１０の詳細図は、ニードルシリンダ１１、および、ダイヤル１２を示している。
このニードルシリンダ１１内において、シリンダニードル１３は、長手方向に位置移動可能に支承されている。それぞれのニードル１３に、編み目形成のためシンカの様式の補助エレメント１５が所属して設けられている。類似の方法で、このダイヤル１２内において、ダイヤルニードル１４、および、シンカの様式の、所属する補助エレメント１６が支承されている。
【００３１】
ニードル１３、および、ダイヤルニードル１４に、それぞれに、糸１７、１８が供給される。この糸１７から、シリンダニードル１３によって、第１の丸編み地１９が製造される。ダイヤルニードル１４は、糸１８から、同時に、第２の丸編み地２０を形成し、この第２の丸編み地が、前記第１の丸編み地１９の内側に位置した状態で、この第２の丸編み地と共に、引き出される。
この図示された丸編み機１０でもって、従って、同時に、従来の丸編み機の２倍の織物が生産され得る。もちろん、丸編み地１９、および、２０を順々に生産することは、同様に可能である。その際、これら丸編み地１９、および、２０は、しかもそのうえ、異なる繊度、模様、および、色で生産され得る。
【００３２】
図１が、丸編み機１０を、ニードルシリンダ１１に対して上昇されたダイヤル１２の状態で示しているのに対して、図２内における丸編み機１０は、降下された位置におけるダイヤル１２の状態で図示されている。シンカ１５および１６は、非動作位置にある。
ただ糸１７だけが供給され、この糸から、シリンダニードル１３、および、ダイヤルニードル１４が、共に、ファインリブ丸編み地２１を生産する。
【００３３】
ニードルシリンダ１１に対する、ダイヤル１２の垂直方向の位置調節可能性によって、この丸編み機でもって、即ち、ニードルシリンダ１１、および、ダイヤル１２の上で、別個の丸編み地１９、２０か、それとも、共通のダブルフェイス編み地２１が製造され得る。
【００３４】
図３は、図１における、シリンダカムセグメント３０の詳細図を示している。
このカムセグメント３０でもって、シリンダニードル１３、および、シンカ１５の移動が制御される。二方向矢印３１の方向における、このニードル１３の垂直方向の移動の制御のために、ニードル制御カム３２が設けられており、このニードル制御カム内へと、このニードル１３が、バット３３によって、嵌り込んでいる。
【００３５】
シンカ１５は、二方向矢印３４の方向における、垂直方向の移動、並びに、バット３５を中心としての旋回運動を行う。このバット３５は、垂直方向の移動を制御する制御カム３６内において支承されている。この旋回運動のために、上側および下側で、旋回カム３７、３８が設けられている。
カムセグメント３０は、その際、ニードル１３、および、シンカ１５が、相対的に互いに移動可能であるように、即ち、このシンカ１５が、このニードル１３の前進移動の際に引き戻され、且つ、このニードル１３の後退移動の際に前進および旋回されるように、形成されている。このことは、ニードル１３、および、シンカ１５の垂直方向運動が相対的に少ないことを誘起し、このことが極めて高い機械速度を許容する。
【００３６】
図４は、図１における、シリンダカムセグメント３０に類似して構成された、丸編み機１０のダイヤルカムセグメント４０を示している。ダイヤルニードル、および、これらダイヤルニードルの半径方向の移動のための、所属する制御カムは、この図示において、見通しの理由から図示を省略されている。
【００３７】
これらカムセグメント４０は、ダイヤル１２の上側に設けられており、且つ、これらカムセグメントの下側に、シンカ１６の半径方向の移動のための、第１の制御カム４１を有している。同様にこれらシンカ１６も、旋回運動を行い、この旋回運動が、前方および後方の旋回カム４２、４３によって制御される。これら旋回運動のための旋回点は、その際、第１の制御カム４１内に存在している。
同様にこれらダイヤルカムセグメント４０も、これらニードルの半径方向移動を短縮するために、ダイヤルニードル１４およびシンカ１６が相対的な運動を行うように、形成されている。
【００３８】
図１から図４内において図示された丸編み機１０は、本発明に従う丸編み機のただ１つの可能な実施例である。
図示されたラッチニードル１３および１４の代わりに、同様に、コンパウンドニードル、または、ベアードニードルも使用され得る。補助エレメント１５および１６は、シンカである必要はなく、むしろ、例えば、同様にベアードクロージングエレメント（Ｈａｋｅｎｓｃｈｌｉｅｓｓｅｌｅｍｅｎｔｅ）として形成されていることは可能である。
更に、補助エレメント１５、１６を、ニードルシリンダ１１、および、ダイヤル１２の外側に支承することは可能である。同様にそのようなバリエーションの場合も、ニードルシリンダ、および、ダイヤルの上での編み地の同時の形成は可能である。
【符号の説明】
【００３９】
１０  丸編み機
１１  ニードルシリンダ
１２  ダイヤル
１３  ラッチニードル、シリンダニードル、ニードル
１４  ラッチニードル、ダイヤルニードル
１５  補助エレメント、シンカ
１６  補助エレメント、シンカ
１７  糸
１８  糸
１９  第１の丸編み地
２０  第２の丸編み地
２１  ファインリブ丸編み地、ダブルフェイス編み地
３０  シリンダカムセグメント
３１  二方向矢印
３２  ニードル制御カム、ニードルカム
３３  バット
３４  二方向矢印
３５  バット
３６  制御カム、シンカカム
３７  旋回カム、シンカカム
２８  旋回カム、シンカカム
４０  ダイヤルカムセグメント、カムセグメント
４１  第１の制御カム、シンカカム
４２  旋回カム、シンカカム
４３  旋回カム、シンカカム
【図１】
2018503000.tif 000003
【図２】
2018503000.tif 000004
【図３】
2018503000.tif 000005
【図４】
2018503000.tif 000006
【国際調査報告】
2018503000.tif 000007
2018503000.tif 000008
2018503000.tif 000009
2018503000.tif 000010
2018503000.tif 000011
2018503000.tif 000012
2018503000.tif 000013
2018503000.tif 000014